(57)【要約】      （修正有）【課題】ラック、キャビネットなどの収納棚と当該収納棚に収納される複数の収納物からなる収納装置、特に、収納物をその配置予定位置に適切に収納する収納装置に関し、区画部材や係止部材を用いずに、収納物を棚板に適切に配置させることができるとともに、振動や傾きによっても、収納物の位置ずれや落下を生じさせない収納装置を提供する。【解決手段】配置予定位置に凹部５ａが形成された棚板３を備えた収納装置１と、配置予定位置に配置され、且つ、凹部５ａに実質的に緩みなく嵌め合わされる凸部を備えた収納物４とを有する。【選択図】図１
2013132370.tif 000002
【特許請求の範囲】
【請求項１】
配置予定位置に凹部が形成された棚板を備えた収納棚と、
前記配置予定位置に配置され、且つ、前記凹部に実質的に緩みなく嵌め合わされる凸部を備えた収納物と
を有することを特徴とする収納装置。
【請求項２】
前記棚板は前記配置予定位置を複数備え、前記複数の配置予定位置に前記収納物がそれぞれ整列して配置されることを特徴とする請求項１に記載の収納装置。
【請求項３】
前記凸部は略矩形または楕円形であり、前記凹部は前記凸部と相似形の形状であることを特徴とする請求項２に記載の収納装置。
【請求項４】
前記凹部は、前記棚板の表裏を貫通する貫通孔であることを特徴とする請求項３に記載の収納装置。
【請求項５】
前記収納物は、組電池を固定部材で固定し、且つ、前記固定部材に前記凸部を形成した構造であることを特徴とする請求項４に記載の収納装置。
【発明の詳細な説明】
【技術分野】
【０００１】
本発明は、収納装置、特に収納物をその配置予定位置に適切に収納する収納装置に関する。
【背景技術】
【０００２】
ラック、キャビネットなどの収納棚と当該収納棚に収納される複数の収納物からなる収納装置は、家庭用、商用を問わず、様々な分野で用いられている。
そして、収納棚に収納物を整列して配置させるため、収納棚の棚板に区画部材を固定する技術（特許文献１参照）や、収納棚の棚板に収納物を挟んで押さえることができる係止部材を固定する技術（特許文献２参照）が報告されている。
【先行技術文献】
【特許文献】
【０００３】
【特許文献１】特開平７−２５７７１４号公報
【特許文献２】実用新案登録番号第３０４６５１５号公報
【発明の概要】
【発明が解決しようとする課題】
【０００４】
しかしながら、特許文献１及び特許文献２の技術は、区画部材や係止部材を用いるため、収納装置のコストアップが避けられない。
一方、上記区画部材や上記係止部材を用いずに棚板に収納物を配置する場合、収納物をその配置予定位置に適切に配置することが容易ではない。また、収納装置は、自動車、船、または飛行機などの移動体に備え付けられる場合がありうるが、上記区画部材や上記係止部材を用いずに棚板に収納物を配置する場合、振動や傾きが収納装置に加えられることによって、収納物が棚板から落下等して破損する恐れもある。
そこで、本発明は、上記区画部材や上記係止部材を用いずに、収納物を棚板に適切に配置させることができるとともに、振動や傾きによっても、収納物を適切に収納することができる収納装置を提供することを目的とする。
【課題を解決するための手段】
【０００５】
上記目的を達成するために、本発明の収納装置は、配置予定位置に凹部が形成された棚板を備えた収納棚と、前記配置予定位置に配置され、且つ、前記凹部に実質的に緩みなく嵌め合わされる凸部を備えた収納物とを有することを特徴とする。
【０００６】
従って、棚板の凹部に棚板に配置される収納物の凸部が嵌め合わされることで、収納物を配置予定位置に適切に配置可能となる。また、収納装置に振動や傾きが生じても、収納物の凸部が棚板の凹部に嵌め合わされてひっかかることで、配置予定位置に収納物を維持することができる。
【発明の効果】
【０００７】
本発明の収納装置によれば、上記区画部材や上記係止部材を用いずに、収納物を棚板に適切に配置させることができるとともに、振動や傾きによっても、収納物を適切に収納することができる。
【図面の簡単な説明】
【０００８】
【図１】本発明の第１実施形態の収納装置の概要図である。
【図２】図１の収納装置で用いられる棚板および収納物の概要図である。図２（ａ）は、棚板の概要図であり、図２（ｂ）は、収納物の概要図である。
【図３】図１の収納装置の変形例の概要図である。図３（ａ）は、第１変形例の概要図であり、図３（ｂ）は、第２変形例の概要図である。
【図４】図１の収納装置の変形例の概要図である。図４（ａ）は、第３変形例の概要図であり、図３（ｂ）は、第４変形例の概要図である。
【図５】図１の収納装置の変形例の概要図であり、第５変形例の概要図である。
【図６】本発明の第２実施形態の収納装置で用いられる棚板および収納物の概要図である。図６（ａ）は、棚板の概要図であり、図６（ｂ）は、収納物の概要図である。
【発明を実施するための形態】
【０００９】
本発明の実施形態に係る収納装置は、収納棚に予め設けられた凹部に、収納物に予め設けられた凸部を嵌め込むことで、収納物を収納棚に適切に配置することを特徴の１つとしている。以下、図面を参照しながら、詳述する。
【００１０】
［第１実施形態］
本発明の第１実施形態による収納装置につき、図面を参照して説明する。なお、図中に示されるＸＹＺ直交座標系は、いずれの図においても同一として説明する。
図１は、収納棚と複数の収納物４を備えた収納装置１の構成を示す図である。収納棚は、Ｚ方向（すなわち、高さ方向）に延びる４つの支柱２とそれらに支えられる複数の棚板３を備えている。ここでは、略矩形の棚板３の４隅に各支柱２がそれぞれ配置され、ネジ止め又は溶接等により互いが固定されている。そして、３枚の棚板３が、互いにＺ方向の間隔を寸法Ｈとして、配置されている。
図１及び図２（ａ）に示すように、１枚の棚板３は、Ｘ方向（すなわち、幅方向）に寸法Ｗ、Ｙ方向（すなわち、奥行き方向）に寸法Ｄ、Ｚ方向に寸法Ｔの略直方体形状の板である。そして、棚板３としての棚板３ａには、収納物４としての収納物４ａがその配置予定位置に配置されている。棚板３ａには、それぞれの収納物４ａに対応した凹部５ａが、収納物４ａの配置予定位置の内側に形成されている。
配置予定位置は、収納物４が棚板３に載せられる又は置かれる予定の位置であり、理解の促進のため図２（ａ）において一点鎖線で示されている。配置予定位置を示す一点鎖線は、ＸＹ平面における収納物４の形状と同一の形状である。ここでは、３つの収納物４ａを寸法Ｉで等間隔にＸ方向に配置するので、配置予定位置も３つ記載されている。
なお、当該一点鎖線はあくまで理解の促進のために記載しているにすぎず、棚板３に実際にマーキングされているわけではない。ただし、収納物４の棚板３への配置を容易とするために、実際に色塗りする等して当該マーキングを行ってもよい。
【００１１】
一方、収納物４ａは、本体部６と本体部６に固定された凸部７ａを備えている。本体部６は、図１、図２（ｂ）、及び図２（ｃ）に示すように、Ｘ方向に寸法Ｗｃ、Ｙ方向に寸法Ｄｃ、Ｚ方向に寸法Ｈｃの略直方体の形状である。また、凸部７ａは、Ｘ方向に寸法Ｗｃｖ、Ｙ方向に寸法Ｄｃｖ、Ｚ方向に寸法Ｔまたは寸法Ｔより小さい寸法で本体部６から突出し、且つ凹部５ａにその全体が実質的に緩みなく嵌め合わされる形状である。すなわち、凹部５ａと凸部７ａのＸＹ平面における形状は相似形である。
ここでは、凹部５ａと凸部７ａの互いの嵌め合わせを容易とするために、凸部７ａのＸＹ平面における形状は角のない形状としている。具体的には長軸の寸法をＤｃｖ、短軸の寸法をＷｃｖとする楕円形としている。また、凹部５ａのＸＹ平面における形状は、凸部７ａと相似形であって且つこれら寸法と実質的に同一かつやや大きい長軸と短軸を持つ楕円形である。
【００１２】
収納物４ａは、当該形状の容器であり、この容器の内部にさらに所定の物品を収納する構成としてよい。この場合には、凸部７ａは、当該容器に当初から一体に形成されてもよいし、また、当該容器とは別体として形成された後、当該容器にネジ止め等で接続されてもよい。
また、収納物４ａは、当該容器ではなく、当該物品それ自体であってもよい。具体的には、複数のリチウムイオン二次電池を電気的に接続した組電池（すなわち、上記物品に相当）を枠状の骨組み等からなる固定部材で緩みなく一体に固定することで、収納物４ａとしてもよい。この場合には、凸部７ａは、例えば当該固定部材を樹脂製とし且つ当該固定部材と１つの型で一体形成してもよいし、当該固定部材に別体の凸部７ａを用意してこれらをネジ等で接続すればよい。
なお、ここでは、各寸法の関係は、０＜３×Ｗｃ＋２×Ｉ＜Ｗ、０＜Ｄｃｖ＜Ｄｃ＜Ｄ、０＜Ｈｃｖ≦Ｔ、０＜Ｈｃ＋Ｈｃｖ＜Ｈ、０＜Ｗｃｖ＜Ｗｃ、０＜Ｉ、０＜Ｈｃ、０＜Ｈｃｖとしている。
【００１３】
凸部７ａと凹部５ａは、図１及び図２に示すように、棚板３とそれに配置される１つの収納物４ａにおいて、互いに対応する位置にそれぞれ２つ用意されている。特に、図１及び図２では、棚板３に対して-Ｙ側にユーザーが立ち、ユーザーがこの位置から収納物４ａを棚板３へ配置することを想定しているので、１つの収納物４ａに対応する２つの凹部５ａは、棚板３のＹ方向の寸法Ｄの中点からＸ方向に引いた仮想線よりも−Ｙ側に形成されている。ユーザーの立ち位置により近い位置に凹部５ａが形成されることにより、ユーザーが収納物４ａの凸部７ａを対応する凹部５ａへ嵌め込むことが容易となり、より早く収納を行うことが可能となる。
また、１つの収納物４ａの２つの凸部７ａが対応する２つの凹部５ａに実質的に緩みなく嵌め合わされるので、設計された配置予定位置に適切に収納物４ａを配置することができるのみならず、振動等によっても位置ズレ、特に収納物４ａのＸＹ平面における回転を防止することができる。
【００１４】
振動等による収納物４ａの回転を防止するためには、１つの収納物４ａに少なくとも２つの凸部７ａが配置され、棚板３の当該収納物４ａの配置予定位置内にこれらに対応する少なくとも２つの凹部５ａが形成されていればよい。すなわち、この観点からは、凹部５ａと凸部７ａの形状は必ずしも楕円形でなくとも、円形や多角形（例えば、三角形や四角形）であってもよい。
従って、図３（ａ）に示す第１変形例のように、収納装置１において、１つの収納物４に対応する２つの凹部５ａを当該収納物４の配置予定位置におけるＸ方向の寸法Ｗｃの中点からＹ方向に引いた仮想線よりも−Ｘ側に形成した棚板３ｂを、棚板３ａに代えて採用してもよい。この場合には、収納物４には当該２つの凹部５ａに実質的に緩みなく同時に嵌め合わされる２つの凸部７ａがそれぞれ配置される。第１変形例においては、２つの凹部５ａを、当該収納物４の配置予定位置におけるＸ方向の寸法Ｗｃの中点からＹ方向に引いた仮想線よりも−Ｘ側に形成したが、＋Ｘ側に形成してもよい。
また、図３（ｂ）に示す第２変形例のように、収納装置１において、１つの収納物４に対応する２つの凹部５ａを、当該収納物４の配置予定位置内の対角線上に形成した棚板３ｃを、棚板３ａに代えて採用してもよい。この場合には、収納物４には当該２つの凹部５ａに実質的に緩みなく同時に嵌め合わされる２つの凸部７ａがそれぞれ配置される。
【００１５】
また、凹部５ａと凸部７ａのＸＹ平面における形状を上述した楕円形とすれば、１つの収納物４に複数の凸部７ａを配置せずに、１つの凸部７ａのみを１つの収納物４に配置する構成としても、上記回転を防止することができる。従って、図４に示す第３変形例のように、収納装置１において、１つの収納物４に対応するただ１つの凹部５ａを当該収納物４の配置予定位置内の当該収納物４の重心に対応する位置に形成した棚板３ｄを、棚板３ａに代えて採用してもよい。この場合には、収納物４には当該ただ１つの凹部５ａに実質的に緩みなく嵌め合わされるただ１つの凸部７ａが配置される。
第３変形例の収納装置は、第１実施形態、第１変形例および第２変形例の収納装置に比べ、１つの収納物４に対応する凸部７ａと凹部５ａの数が少なくなるので、収納装置のコスト削減にも寄与することができる。
【００１６】
ただし、上述した第１実施形態およびその変形例では、収納物４を棚板３に配置する前、例えば収納物４を地面等に仮置きする際には、本体部６はＸＹ平面から傾いた状態で仮置きされる可能性が高い。上記物品の性質上、本体部６の傾いた状態での配置が望ましくない場合には、収納物４に配置される凸部７ａを３つ以上適切に配置することで、当該傾いた状態での配置を回避することができる。
従って、図５（ａ）に示す第４変形例のように、収納装置１において、１つの収納物４に対応する４つの凹部５ａを、当該収納物４の配置予定位置内の４角付近にそれぞれ形成した棚板３ｅを、棚板３ａに代えて採用してもよい。この場合には、収納物４には当該４つの凹部５ａに実質的に緩みなく同時に嵌め合わされる４つの凸部７ａがそれぞれ配置される。
また、図５（ｂ）に示す第５変形例のように、収納装置１において、１つの収納物４に対応する３つの凹部５ａを、当該収納物４の配置予定位置内であって且つ当該収納物４の重心に対応する位置から所定距離だけ互いに散らばらせて形成した棚板３ｆを、棚板３ａに代えて採用してもよい。この場合には、収納物４には当該３つの凹部５ａに実質的に緩みなく同時に嵌め合わされる３つの凸部７ａがそれぞれ配置される。
【００１７】
以上の第１実施形態およびその変形例の収納装置によれば、特許文献１及び特許文献２に開示の区画部材や係止部材を用いることなく、収納物４を所定位置に適切に配置できるのみならず、複数の収納物４を互いに所定位置に整列させて容易に配置することができる。さらに、振動等によっても収納物４が棚板３で回転等して当該整列が乱れることを防止し、また、当該振動等によっても落下等することを防止することができる。
従って、低コストかつ安全性の高い収納装置を提供することができる。
【００１８】
［第２実施形態］
本発明の第２実施形態による収納装置につき、図６を参照して説明する。なお、第１実施形態と異なる点は、棚板３として棚板３ａに代わり棚板３ｇを用いる点及び収納物４として収納物４ａに代わり収納物４ｂを用いる点である。このため、第１実施形態と同一構成については同一番号を付して、説明を省略する。
第１実施形態およびその変形例の収納装置では、棚板３に形成される凹部５はＸＹ平面の形状が楕円形の凹部５ａであったが、第２実施形態で用いる棚板３ｇには、略矩形の凹部５ｂが形成されている。収納物４ｂは、凸部７ａと同様に、本体部６に２つの凸部７ｂが固定されている。凸部７ｂは、Ｘ方向に寸法Ｗｃｖ、Ｙ方向に寸法Ｄｃｖ、Ｚ方向に寸法Ｔまたは寸法Ｔより小さい寸法で本体部６から突出し、且つ凹部５ｂにその全体が実質的に緩みなく嵌め合わされる形状である。すなわち、凹部５ｂと凸部７ｂのＸＹ平面における形状は相似形である。従って、凹部５ｂの形状は、凸部７ｂのＸＹ平面上の寸法と実質的に同一かつやや大きい寸法の形状である。図６（ａ）では、理解の促進のため、凹部５ｂに嵌め合わされる凸部７ｂを二点鎖線で示している。
Ｙ方向に（Ｄｃ/２）より大きい寸法Ｄｃｖの２つの凸部７ｂを、本体部６の重心を跨いで本体部６に形成し、結果として「ソリ」のような収納物４を形作ることで、実施形態１およびその変形例の収納装置に比べ、上記回転や脱落をより効果的に防止することができる。また、収納物４の仮置きの際においても、本体部６をＸＹ平面と平行に配置することができる。
以上の第２実施形態の収納装置によれば、第１実施形態の収納装置と同様、低コストかつ安全性の高い収納装置を提供することができる。
【００１９】
なお、以上の第１実施形態およびその変形例、さらには第２実施形態の収納装置の特徴を適宜互いに融合させて、収納装置を形成してもよい。また、ここでは３枚の棚板による３段の収納棚の例を示したが、さらに多段の収納棚としてもよい。収納棚の段ごとに、異なる棚板およびこれに対応する収納物の組み合わせとして、収納装置を構成してもよい。
以上の支柱２、棚板３、凸部７は、プラスチック樹脂または金属で形成することができる。上記物品がリチウム二次電池のような電化製品である場合には、例えばこれらを強化プラスチックで形成すると、漏電を回避できるので、収納装置の安全性をより高めることができる。また、収納棚を構成する支柱２は総計４本使用したが、棚板３を支えることができればよいので、支柱２に代わり２枚の側板で棚板３を支える収納棚としてもよい。
【００２０】
本発明は上述した実施形態およびその変形例に限定されず、本発明の趣旨を逸脱しない限りで種々の変形が可能である。例えば、棚板３に形成される凹部５は棚板３の表裏を貫通する貫通孔であってもよい。
また、棚板３や収納物４の形状は上述した形状に限らず、本発明の趣旨を逸脱しない限り、円形、多角形など、種々の形状とすることができる。
さらに、棚板３に配置する収納物４の数も３つに限定されるものではなく、設計に応じてそれ以上にもそれ以下にも設定することが可能である。
【符号の説明】
【００２１】
１…収納装置、２…支柱、３（３ａ〜３ｇ）…棚板、４（４ａ、４ｂ）…収納物、
５（５ａ、５ｂ）…凹部、６…本体部、７（７ａ、７ｂ）…凸部
【図１】
2013132370.tif 000003
【図２】
2013132370.tif 000004
【図３】
2013132370.tif 000005
【図４】
2013132370.tif 000006
【図５】
2013132370.tif 000007
【図６】
2013132370.tif 000008